【事件の表示】
　特願２０１６−５０５９０３号「パルス信号反転による電気化学的スケール除去」拒絶査定不服審判事件〔２０１４年１０月　９日国際公開、ＷＯ２０１４／１６２２３１、平成２８年　７月２１日国内公表、特表２０１６−５２１４４０号、請求項の数（１０）〕について、次のとおり審決する。
【結　論】
　原査定を取り消す。
　本願の発明は、特許すべきものとする。
【理　由】
第１　手続の経緯
　本願は、２０１４年３月２０日（パリ条約による優先権主張外国庁受理　２０１３年４月２日（ＵＳ）米国）を国際出願日とする出願であって、平成２８年４月２０日付けで拒絶理由通知がされ、平成２８年６月２７日付けで意見書が提出され、平成２８年８月２５日付けで拒絶理由通知がされ、平成２８年１０月２８日付けで意見書が提出され、平成２９年１月１６日付けで拒絶査定（原査定）がされ、これに対し、平成２９年４月１９日付けで拒絶査定不服審判の請求がされると同時に手続補正がされ、平成３０年５月８日付けで拒絶理由通知（その拒絶理由を、以下「当審拒絶理由１」という。）がされ、平成３０年７月２３日付けで意見書が提出されると共に手続補正がされ平成３０年９月２７日付けで拒絶理由通知（その拒絶理由を、以下「当審拒絶理由２」という。）がされ、平成３０年１１月１９日付けで意見書が提出されると共に手続補正がされたものである。
第２　原査定の概要
　原査定（平成２９年１月１６日付け拒絶査定）の概要は次のとおりである。
　本願請求項１〜１５に係る発明は、以下の引用文献Ａ〜Ｄに基いて、その発明の属する技術の分野における通常の知識を有する者（以下、「当業者」という。）が容易に発明をすることができたものであるから、特許法第２９条第２項の規定により特許を受けることができない。
引用文献等一覧
Ａ．国際公開第２０１２／０１１０５１号
Ｂ．実願平５−７３３７５号（実開平７−３７０９８号）のＣＤ−ＲＯＭ
Ｃ．国際公開第２０１２／０６９９５８号
Ｄ．特開２００２−３３６８６１号公報
第３　当審拒絶理由の概要
１．当審拒絶理由１の概要
（１）理由１（進歩性）について
　本願請求項１〜１５に係る発明は、以下の引用文献１、２に基いて、当業者が容易に発明できたものであるから、特許法第２９条第２項の規定により特許を受けることができない。
引用文献等一覧
１．国際公開第２０１２／０１１０５１号（拒絶査定時の引用文献Ａ）
２．実願平５−７３３７５号（実開平７−３７０９８号）のＣＤ−ＲＯＭ （拒絶査定時の引用文献Ｂ）
（２）理由２（サポート要件）について
　出願時の技術常識に照らしても、本願請求項１〜１５に係る発明の範囲まで、発明の詳細な説明に開示された内容を拡張ないし一般化することができない。
　また、本願請求項１〜１５に係る発明が、発明の詳細な説明において、発明の課題が解決できたものであるのか不明である。
　したがって、本願請求項１〜１５に係る特許請求の範囲の記載は、特許法第３６条第６項第１号に規定する要件を満たしていない。
２．当審拒絶理由２の概要
　理由（明確性）について
　本願請求項１〜１０に係る発明は、特許請求の範囲の記載が明確でないため、特許法第３６条第６項第２号に規定する要件を満たしていない。
第４　本願発明
　本願請求項１〜１０に係る発明（以下、それぞれ「本願発明１」〜「本願発明１０」という。）は、平成３０年１１月１９日付けの手続補正で補正された特許請求の範囲の請求項１〜１０に記載された事項により特定される発明であり、本願発明１〜１０は以下のとおりの発明である。
　「【請求項１】
　加熱エレメントとカウンタ電極とを有するヒータにおいて液体を加熱する方法であって、
　（ｉ）前記加熱エレメントを摂氏１４０乃至１８０°Ｃの範囲の温度に加熱することにより前記ヒータの中の液体を加熱するステップと、
　（ｉｉ）前記加熱エレメントと前記カウンタ電極との間に非変調のＡＣ電位差を印加するステップとを有し、
　前記ＡＣ電位差は２００乃至２０００Ｈｚの範囲内のＡＣ周波数で変化し、１．６乃至３．２Ｖの振幅を有し、前記液体は前記ヒータの中の前記加熱エレメントと前記カウンタ電極との間を流れ、
　前記加熱エレメントと前記カウンタ電極とは、０．５−５ｍｍの範囲の相互距離を有する、
　方法。
　【請求項２】
　前記ＡＣ周波数は５００乃至１５００Ｈｚの範囲にあり、前記ＡＣ電位差は正弦波特性を有する、
　請求項１に記載の方法。
　【請求項３】
　前記ヒータはフロースルーヒータを有し、前記加熱エレメントは前記カウンタ電極を囲んでいる、請求項１または２に記載の方法。
　【請求項４】
　前記加熱エレメントと接触する液体は６乃至１０ｂａｒの範囲の圧力である、請求項１乃至３いずれか一項に記載の方法。
　【請求項５】
　前記ＡＣ電位差とＡＣ周波数とのうち一以上を、（ｉ）前記加熱エレメントと前記カウンタ電極との間の電流と、（ｉｉ）前記液体の導電率とのうち一以上の関数として制御するステップを有する、
　請求項１乃至４いずれか一項に記載の方法。
　【請求項６】
　液体を加熱するように構成され、ヒータ内の液体を加熱する加熱エレメントと、カウンタ電極とを有するヒータと、
　前記加熱エレメントと前記カウンタ電極との間に前記液体を流すように構成された流れユニットと、
　前記加熱エレメントと前記カウンタ電極との間に非変調のＡＣ電位差を印加するように構成された電源とを有し、
　前記ＡＣ電位差は２００乃至２０００Ｈｚの範囲内のＡＣ周波数で変化し、１．６Ｖ乃至３．２Ｖの振幅を有し、
　前記加熱エレメントを摂氏１４０乃至１８０°Ｃの範囲の温度に加熱することにより前記ヒータの中の液体を加熱し、
　前記加熱エレメントと前記カウンタ電極とは、０．５−５ｍｍの範囲の相互距離を有する、
　ヒータ装置。
　【請求項７】
　前記ヒータはフロースルーヒータを有し、前記加熱エレメントは前記カウンタ電極を囲んでいる、請求項６に記載のヒータ装置。
　【請求項８】
　昇温された液体を含む飲料を供給する電子デバイスであって、
　請求項６または７に記載のヒータ装置を有し、
　前記電子デバイスは前記飲料用の加熱された水及び／又は水蒸気を作るように構成されている、
　電子デバイス。
　【請求項９】
　前記電子デバイスはベンディングマシンである、
　請求項８に記載の電子デバイス。
　【請求項１０】
　熱い液体と接触している加熱エレメント及びカウンタ電極の間のＡＣ電位差の使用であって、
　前記ＡＣ電位差は２００乃至２０００Ｈｚの範囲内の非変調のＡＣ周波数で変化し、１．６Ｖ乃至３．２Ｖの振幅を有し、
　前記加熱エレメントを摂氏１４０乃至１８０°Ｃの範囲の温度に加熱することにより前記液体を加熱し、
　前記加熱エレメントと前記カウンタ電極とは、０．５−５ｍｍの範囲の相互距離を有し、
　前記加熱エレメントのスケール付着を防止又は低減する、
　使用。」
第５　引用文献等
１．引用文献１について
　当審拒絶理由１において引用された引用文献１（国際公開第２０１２／０１１０５１号）には、図面とともに次の事項が記載されている（摘記に続く翻訳文は、引用文献１のファミリー文献である特表２０１３−５３５６４５号公報を参考にして、当審で作成した。また、翻訳文の下線は当審において理解の一助のために付加した。）。
１ａ）「CLAIMS: 
　1. 
A method of using a water heater (100) arranged for heating an aqueous liquid (20) wherein the water heater (100) comprises a heating element (110) to heat aqueous liquid (20) in the water heater (100), the method comprising: 
   a. heating aqueous liquid (20) in the water heater (100) with the heating element (110), wherein the heating element (110) is in contact with the aqueous liquid (20); and 
   b. applying a first AC voltage between the heating element (110) and a counter electrode (120), and applying a DC voltage between the heating element (110) and the counter electrode (120), wherein the DC voltage is at least 0.5 V, and wherein the heating element (110) is chosen as positive electrode. 
（当審訳：特許請求の範囲：
　請求項１．
温水器内の水性液体を加熱するための加熱素子を有する水性液体を加熱するための温水器を使用する方法であって、
前記加熱素子が水性液体と接触して、前記加熱素子で前記温水器内の水性液体を加熱するステップと、
前記加熱素子と対抗電極との間に第1のＡＣ電圧を付与し、前記加熱素子と前記対抗電極との間にＤＣ電圧を付与するステップとを有し、ここで、ＤＣ電圧は少なくとも０．５Ｖであり、前記加熱素子は正の電極として選択されている、方法。
１ｂ）「17. The electronic device (2) according to claim 16, wherein the electronic device (2) is selected from 
the group consisting of an iron, a pressurized steam generator, a non- pressurized steam generator, a hot liquid vending machine, an electric kettle, a coffee maker, an espresso machine, a washing machine, a dish washer, and a hot-water based weed killing device. 
（当審訳：請求項１７．
アイロン、加圧蒸気発生器、非加圧蒸気発生器、熱い飲物の自動販売機、電気ケトル、コーヒーメーカー、エスプレッソマシン、洗濯機、食器洗浄機、温水ベースの雑草除去装置から成るグループ
１ｃ）「The term water heater may also refer to a (closed) boiler arranged to produce steam, to a (closed) boiler arranged to produce heated water, to a flow through heater or to a steamer. In a specific embodiment, the heater arranged for heating an aqueous liquid is selected from the group consisting of 
a flow through heater, a flow through steamer
　Heating may be any heating at temperatures above room temperature, but especially refers to heating (of the aqueous liquid) above 50 °C, such as especially heating the aqueous liquid in the heater to a temperature of at least 85 °C. The term heating may thus include bringing at elevated temperatures, boiling and/or producing steam. 
　The heater may be any heater, such as a heater of a steam generation device (e.g. as used for a pressurized steam generator (sometimes also indicated as 
system iron
（当審訳：「温水器」という用語は、また、蒸気を作るために設けられた（閉じた）ボイラー、加熱水を作るように設けられた（閉じた）ボイラー、フロースルーヒーター、又はスチーマーを指してもよい。特定の実施例において、水性液体を加熱するために設けられたヒーターは、
フロースルーヒーター、フロースルースチーマー
　加熱は、室温を超える温度での任意の加熱であるが、５０℃を超える（水性液体の）加熱、特に少なくとも８５℃の温度までのヒーター内の水性液体の加熱を指す。よって、「加熱」という用語は、昇温にすること、沸騰させること、及び／又は蒸気を作ることを含む。
　ヒーターは、蒸気を供給するための（例えば、（時々
システムアイロン
１ｄ）「
Figure la schematically depicts a water heater arrangement (heater arrangement) 1 comprising a water heater (heater) 100, arranged for heating an aqueous  liquid 20. 
（当審訳：
図１ａは、水性液体２０を加熱するために設けられた温水器（「ヒーター」）１００を有する温水器装置（「ヒーター装置」）を模式的に示す。
１ｅ）「
Figure lc schematically depicts an embodiment of a flow through heater (FTH), wherein the heater 100 is a heater through which the aqueous liquid 20 flows, while being heated. In the schematic embodiment of figure lc, a heat generation device 115 is connected to the wall of the heater 100, and a rod within the heater is used as counter electrode 120. 
　Figure ld schematically depicts substantially the same embodiment as schematically depicted in figure lc, but now in cross-sectional view. Elements 115 heat wall of the heater 100. Therefore, the wall is indicated as heating element 110. Over this wall, i.e. heating element 110, and the counter electrode 120, a voltage is applied with 
electrical power supply 200
（当審訳：
図１ｃは、フロースルーヒーター（ＦＴＨ）の実施例を模式的に示し、ここで、ヒーター１００は、加熱されている間水性液体２０が流れるヒーターである。図１ｃの模式的実施例において、加熱生成装置１１５はヒーター１００の壁に接続され、ヒーター内のロッドは対抗電極１２０として使用される。
　図１ｄは、図１ｃに模式的に示されたのと実質的に同じ実施例を模式的に示すが、ここでは、断面図である。素子１１５は、ヒーター１００の壁を加熱する。従って、壁は加熱素子１１０として示される。この壁上に、すなわち加熱素子１１０上に、及び対抗電極１２０上に、電圧が
電源２００
１ｆ）「Figure 3 schematically depicts an electronic device 2. Figure 3 schematically depicts an electric kettle as example of the electronic device 2. The electronic device 2 comprises the heater arrangement 1. Here, electronics 300 may be arranged to control the heating of
 heating element 120 
imposing the first AC and optional second AC and/or optional DC voltage to the heating element 120 and counter electrode 110.
　The heater arrangement 1 may further comprise a sensor (not depicted) to sense parameters like conductivity of the aqueous liquid, the temperature of the aqueous liquid, etc. Further, the heater arrangement 1 may further comprise a controller, to control the one or more features of the first AC and one more features of the one or more of the second AC and DC. The controller may control those one or more features in dependence of the one or more parameters and one or more predefined relations between the one or more parameters and the one or more features. 
EXAMPLES 
Water preparation 
　Stock solutions of CaCl2 .2H20 (65.6gr/ltr), MgS04.7H20 (38gr/ltr) and NaHC03(76.2 gr/ltr) were made. Standard hard water was made by mixing 50 gram of each stock solution into 9 liter of de-ionized water and adding up to 10 liter. The resulting water had a total hardness of (around) 16.8 °DH (German degree of hardness) and a temporary hardness of (around) 11.2 °DH. 
　Total hardness is defined as 2.8 x 2 x [mmol/ltr Ca + mmol Mg/ltr] ; 
Temporary hardness is defined as 2.8 x [mmol HC03-/1tr].)
Calcified electrode preparation 
　In a typical experiment hard water was added to a 250 ml beaker glass. A curled heating element (of stainless steel) was immersed into the water. 
Water was boiled and kept at 95°C for 30 minutes. 
The distance between the electrodes was 1 cm
Descaling experiments 
　For every experiment a freshly calcified electrode (the stainless steel tube) was used. For the experiments the same setup was used as for calcifying the test electrode. After boiling for 30 minutes the electrode (the stainless steel tube) was investigated for spontaneous removal of the scale and for corrosion. After that the electrode (the stainless steel tube) was rinsed under running tap water with gentle rubbing to further test the loosening of the scale. 」（第１９頁第６行〜第２０頁第１１行）
（当審訳：図３は、電子装置２を模式的に示す。図３は、電子装置２の例として電気ケトルを模式的に示す。電子装置２は、加熱装置１を有する。ここで、電子回路３００は、
加熱素子１２０
第１のＡＣ、オプションで第２のＡＣ及び／又はオプションでＤＣ電圧を加熱素子１２０及び対抗電極１１０へ与える
　加熱装置１は、更に、水性液体の導電率、水性液体の温度等のようなパラメータを検知するためのセンサ（図示されず）を有する。更に、加熱装置１は、第１のＡＣの一つ以上の特徴と、第２のＡＣ及びＤＣの一つ以上の（一つ以上の）特徴とを制御するためのコントローラを有する。コントローラは、一つ以上の特徴と、一つ以上のパラメータと一つ以上の特徴との間の一つ以上の事前に規定された関係とに依存して、これら一つ以上の特徴を制御する。
実施例
水の準備
　ＣａＣｌ２．２Ｈ２Ｏ（６５．６ｇｒ／ｌｔｒ）、  ＭｇＳＯ４．７Ｈ２Ｏ（３８ｇｒ／ｌｔｒ）及びＮａＨＣＯ３（７６．２ｇｒ／ｌｔｒ）の貯蔵液が作られた。５０グラムの各ストック溶液を９リットルの脱イオン化水に混合し、１０リットルまで加えることにより、標準硬水が作られた。結果として出来た水は、（約）１６．８°ＤＨ（硬さのドイツ硬度）のトータルの硬さ及び（約）１１．２°ＤＨの一時的な硬さを持った。
　トータルの硬さは、２．８ｘ２ｘ[ｍｍｏｌ／ｌｔｒ  Ｃａ＋ｍｍｏｌ  Ｍｇ／ｌｔｒ]として規定され、一時的な硬さは、２．８ｘ[ｍｍｏｌ  ＨＣＯ３−／ｌｔｒ]として規定される。
石灰化された電極の準備
　典型的な実験では、硬水が２５０ｍｌのビーカーガラスに加えられた。（ステンレススチール管の）らせん状の加熱素子が水に浸けられた。
水が沸騰され、３０分間９５℃に保たれた
電極間の距離は１ｃｍ
湯垢除去実験
　各実験に対して、新しく石灰化された電極（ステンレススチール管）が使用された。実験のために、テスト電極を石灰化するための同じセットアップが用いられた。３０分間沸騰した後、電極（ステンレススチール管）が、湯垢の自発的な除去及び腐食に対して調べられた。その後、電極（ステンレススチール管）は、湯垢の解放を更にテストするために柔らかなラビングで水道水の下、洗浄された。）
１ｇ）「Experiment 1 (AC) (reference example) 
　A calcified 12 mm stainless steel tube and a small strip of MMO coated titanium of 6 mm width (the counter electrode) were connected to a power supply. 6.8 Vpp was applied with a frequency of 100Hz resulting in 40 mA current. (As power source a funnctiongenerator was used with 50 Ohm impedance ). After heating for 30 minutes at 95 °C the outside of the tube (the electrode) was checked. No spontaneous scale removal was observed. Rinsing under tap water with gentle rubbing showed poor removal of scale. No corrosion was observed. 
Experiment 2 (AC) (reference example) 
　A calcified 12 mm stainless steel tube and a small strip of MMO coated titanium of 6 mm width were connected to a power supply. 6.8 Vpp was applied with a frequency of 10Hz resulting in 40 mA current. After heating for 30 minutes at 95 °C the electrode was checked. No spontaneous scale removal was observed. Rinsing under tap water with gentle rubbing showed good removal of scale. No corrosion was observed. 
・・・・・・
　When the frequency is lowered too much corrosion of the steel electrode may occur suggesting that lower current may be beneficial. 
Experiment 5 (AC) (reference example) 
　A calcified 12 mm stainless steel tube and a small strip of MMO coated titanium of 6 mm width were connected to a power supply. 
4.8 Vpp was applied with a frequency of 2.5Hz
at 95 °C
（当審訳：実験１（ＡＣ）（参照例）
　石灰化された１２ｍｍのステンレススチール管及び６ｍｍ幅のＭＭＯ被覆されたチタニウムの小さなストリップが電源に接続された。６．８ＶｐｐＡＣが１００Ｈｚの周波数で付与され、結果的に４０ｍＡ電流となった（電源としてファンクションジェネレータが５０オームインピーダンスで用いられた）。９５℃で３０分間加熱後、管（電極）の外側が調べられた。自発的な湯垢除去は観察されなかった。柔らかなラビングで水道水の下の洗浄は、湯垢の貧弱な除去を示した。腐食が観察されなかった。
実験２（ＡＣ）（参照例）
　石灰化された１２ｍｍのステンレススチール管及び６ｍｍ幅のＭＭＯ被覆されたチタニウムの小さなストリップが電源に接続された。６．８ＶｐｐＡＣが１０Ｈｚの周波数で付与され、結果的に４０ｍＡ電流となった。９５℃で３０分間加熱後、電極が調べられた。自発的な湯垢除去は観察されなかった。柔らかなラビングで水道水の下の洗浄は、湯垢の良好な除去を示した。腐食が観察されなかった。
・・・・・・
　周波数があまりにも低いとき、スチール電極の腐食が起こり、低めの電流が有益であることを示唆する。
　実験５（ＡＣ）（参照例）
　石灰化された１２ｍｍのステンレススチール管及び６ｍｍ幅のＭＭＯ被覆されたチタニウムの小さなストリップが電源に接続された。
４．８ＶｐｐＡＣが２．５Ｈｚの周波数で付与され
９５℃で
１ｈ）「Experiment 9 (AC/DC) 
　A calcified 12 mm stainless steel tube and a small strip of MMO coated titanium of 6 mm width were connected to a power supply. 
4.8 Vpp AC was applied with a frequency of 5Hz
at 95 °C
Experiment 10 (AC/DC) 
　A calcified 12 mm stainless steel tube and a small strip of MMO coated titanium of 6 mm width were connected to a power supply. 
4.8 Vpp AC was applied with a frequency of 5Hz
 at 95 °C
　The corrosion tempering effect of a AC on a relative high DC is clear from experiments 9 and 10. 」（第２２頁第１８行〜第２３頁第２行）
（当審訳：実験９（ＡＣ／ＤＣ）
　石灰化された１２ｍｍのステンレススチール管及び６ｍｍ幅のＭＭＯ被覆されたチタニウムの小さなストリップが電源に接続された。
４．８ＶｐｐＡＣが５Ｈｚの周波数で付与され
９５℃で
実験１０（ＡＣ／ＤＣ）
　石灰化された１２ｍｍのステンレススチール管及び６ｍｍ幅のＭＭＯ被覆されたチタニウムの小さなストリップが電源に接続された。
４．８ＶｐｐＡＣが５Ｈｚの周波数で付与され
９５℃で
　相対的に高いＤＣでＡＣの腐食緩和効果は、実験９及び１０から明らかである。）
１ｉ）「Calcified electrode preparation 
　In a typical experiment hard water was added to a 600 ml beaker glass. A curled heating element was immersed into the water. Water was boiled and kept at 95C for 30 minutes. During heating a stainless steel tube of 12 mm diameter and 10 mm inner diameter was immersed into the water. A 1 mm Metal oxide (Mox) coated Titanium electrode was positioned in the center of the tube. 」（第２３頁第２４行〜第２９行）
（当審訳：石灰化された電極準備
　典型的な実験では、硬水が６００ｍｌビーカーガラスに加えられた。らせん状の加熱素子が、水に浸けられた。水が沸騰され、３０分間９５℃に保たれた。加熱中、１２ｍｍ直径及び１０ｍｍ内径のステンレススチール管が水に浸けられた。１ｍｍの金属酸化物（ＭＯＸ）被覆されたチタニウム電極が、管の中心に位置付けられた。）
１ｊ）「Experiment 13 (AC/DC) 
  A calcified (inside) 12 mm stainless steel tube and a 6 mm diameter rod of stainless steel centered inside were connected to a power supply after immersion in standard hard water of 900 μＳ／ｃｍ conductivity. 
At 95 °C a current of 40 mA was applied at a measured 2.6 Vpp, with a frequency of 0.5 Hz and an offset of -1.5V DC
（当審訳：実験１３（ＡＣ／ＤＣ）
  （内部が）石灰化された１２ｍｍのステンレススチール管及び内部中央にステンレススチールがある６ｍｍの直径ロッドが、９００μＳ／ｃｍ導電率の標準硬水に浸けられた後、電源に接続された。（正電極として加熱素子及び負対抗電極としてロッドを持って）
９５℃で４０ｍＡの電流が、０．５Ｈｚの周波数及び−１．５ＶＤＣのオフセットで、測定２．６Ｖｐｐで付与された
１ｋ）「Experiment 19 (AC/AC/DC) 
　A stainless steel cylindrical shaped cup with a heating element connected at the outside of the flat bottom was filled with hard water. The radius of the bottom was 5.25 cm. At 3 mm distance from the bottom a stainless steel spiral electrode of 2 mm wire thickness was positioned. The water was heated 
while two super imposed AC signals (triangular shape) of 1 and 1000 Hz were applied
An offset of 1.5 V was used with the cup as positive electrode.
（当審訳：実験１９（ＡＣ／ＡＣ／ＤＣ）
　平坦な底部の外部に接続された加熱素子を持つステンレススチールの柱状カップが硬水で満たされた。底部の半径は、５．２５ｃｍであった。底部から３ｍｍ離れたところで、２ｍｍワイヤ厚さのステンレススチールのらせん状の電極が位置づけられた。
１Ｈｚ及び１０００Ｈｚの２つの重畳されたＡＣ信号（三角形形状）が付与されている
１．５Ｖのオフセットが、正電極としてのカップに用いられた
１ｌ）「
　
」
　したがって、上記引用文献１には次の６つの発明（以下、それぞれ「引用発明ａ」、「引用発明ｂ」、「引用文献１記載事項１」、「引用文献１記載事項２」、「引用文献１記載事項３」、「引用文献１記載事項４」という。）が記載されていると認められる（なお、以下の「引用発明ａ」と「引用発明ｂ」が、上記１ｋ）の実験１９に対応し、「引用文献１記載事項１」が、上記１ｇ）の実験５に、「引用文献１記載事項２」が、上記１ｈ）の実験９に、「引用文献１記載事項３」が、上記１ｈ）の実験１０に、「引用文献１記載事項４」が、上記１ｊ）の実験１３に対応する。）。
（引用発明ａ）
　「液体を加熱するように構成され、加熱装置１内の液体を加熱する加熱素子と、対向電極とを有する加熱装置１と、
　前記加熱素子と前記対向電極との間に１Ｈｚ及び１０００Ｈｚの２つの重畳されたＡＣ信号（三角形形状）を付与する電源２００を有し、
　さらに、１．５Ｖのオフセットが正電極である加熱素子に加えられる、
　ヒータ装置。」
（引用発明ｂ）
　「加熱素子と対向電極を有する加熱装置１によって液体を加熱する方法であって、
　前記加熱素子と前記対向電極との間に１Ｈｚ及び１０００Ｈｚの２つの重畳されたＡＣ信号（三角形形状）を付与するステップと、
　１．５Ｖのオフセットを正電極である加熱素子に加えるステップとを有する、
　方法。」
（引用文献１記載事項１）
　「ステンレススチール管（加熱素子１２０）と小さなストリップ（対向電極１１０）を有する加熱装置１によって液体を加熱する方法であって、
　前記ステンレススチール管（加熱素子１２０）と小さなストリップ（対向電極１１０）との間に４．８ＶｐｐＡＣが２．５Ｈｚの周波数で付与されるステップとを有し、
　前記ステンレススチール管（加熱素子１２０）と前記小さなストリップ（対向電極１１０）とは、１ｃｍの電極間距離を有する、
　方法及びその方法を用いたヒータ装置。」
（引用文献１記載事項２）
　「ステンレススチール管（加熱素子１２０）と小さなストリップ（対向電極１１０）を有する加熱装置１によって液体を加熱する方法であって、
　前記ステンレススチール管（加熱素子１２０）と小さなストリップ（対向電極１１０）との間に周波数５Ｈｚの４．８ＶｐｐＡＣと、オフセットとして１．０ＶＤＣが付与されるステップとを有し、
　前記ステンレススチール管（加熱素子１２０）と前記小さなストリップ（対向電極１１０）とは、１ｃｍの電極間距離を有する、
　方法及びその方法を用いたヒータ装置。」
（引用文献１記載事項３）
　「ステンレススチール管（加熱素子１２０）と小さなストリップ（対向電極１１０）を有する加熱装置１によって液体を加熱する方法であって、
　前記ステンレススチール管（加熱素子１２０）と小さなストリップ（対向電極１１０）との間に周波数５Ｈｚの４．８ＶｐｐＡＣと、オフセットとして１．５ＶＤＣが付与されるステップとを有し、
　前記ステンレススチール管（加熱素子１２０）と前記小さなストリップ（対向電極１１０）とは、１ｃｍの電極間距離を有する、
　方法及びその方法を用いたヒータ装置。」
（引用文献１記載事項４）
　「ステンレススチール管（加熱素子１２０）と小さなストリップ（対向電極１１０）を有する加熱装置１によって液体を加熱する方法であって、
　前記ステンレススチール管（加熱素子１２０）と小さなストリップ（対向電極１１０）との間に周波数０．５Ｈｚの２．６ＶｐｐＡＣと、オフセットとして−１．５ＶＤＣが付与されるステップとを有し、
　方法及びその方法を用いたヒータ装置。」
２．引用文献２について
　当審拒絶理由１において引用された引用文献２（実願平５−７３３７５号（実開平７−３７０９８号）のＣＤ−ＲＯＭ）には、図面とともに次の事項が記載されている。
２ａ）「【請求項１】 水を収容するタンクと該タンクに連通するノズルを有し、タンク内の水を加熱して水の蒸気をノズルから噴出するスチームアイロンにおいて、前記タンク内に電極を対向配置し、この電極に極性反転電圧を印加する極性反転駆動手段を設けたことを特徴とするスケール障害防止装置付スチームアイロン。」
２ｂ）「 【０００９】
　【実施例】
　以下、本考案の実施例を図面に基づいて説明する。なお、本実施例の説明において、従来例と同一名称部分には同一符号を付し、その詳細説明は省略する。図１には、本考案に係るスケール障害防止装置付スチームアイロンの一実施例が商用電源と接続状態で示されている。本実施例が従来例と異なる特徴的なことは、タンク８内に電極１と電極２とを対向配置し、制御装置６に、電極１，２に極性反転電圧を印加する極性反転駆動手段として機能する矩形パルス発振回路５を設け、この矩形パルス発振回路５と電極１，２とを接続したことである。
　【００１０】
　図２に示すように、制御装置６は、電源回路３と矩形パルス発振回路５を有している。電源回路３は、トランスを有しており、電源（商用電源）からの電圧を降圧して矩形パルス発振回路５に加える。矩形パルス発振回路５は、極性反転電圧を発振して電極１，２にそれぞれ加える（印加する）ものであり、電極１，２は、電極１の極性が正のとき電極２の極性は負となるようにし、その逆に、電極１の極性が負のとき電極２の極性は正となるようにする。」
２ｃ）「【００１５】
　また、表１に示すように、電極に加える電圧と周波数でこの効果が特に顕著に表れるポイントがあり、効果に差異があることが確認されている。なお、表中、二重丸の印は極めて良好、丸の印は良好、−印は効果がない場合を示している。」
２ｄ）「
」
２ｅ）「【００１７】
　本実施例は、以上のように構成されており、次にその動作について説明する。本実施例でも、従来例と同様に、タンク８内に水を注入し、電源コード16を電源に差し込んでスイッチを入れると、ヒータ14の加熱制御が行われ、タンク８内の水はヒータ14により加熱されて蒸気となってノズル９から噴出されるが、本実施例では、タンク８内には電極１，２が対向配置されており、制御装置６の矩形パルス発振回路５により極性反転電圧が電極１，２に印加されるために、電極１と電極２の間には図３の（ａ）に示したような矩形状のパルス電流が流れる。」
　以上のことから、引用文献２には、次の技術的事項が記載されていると認められる（以下、「引用文献２記載事項」という。）。
　「水を収容するタンク内の水を加熱して水の蒸気をノズルから噴出するスチームアイロンにおいて、前記タンク内に電極を対向配置し、この電極に電圧５Ｖ、周波数１ＫＨｚのパルス電圧を印加する極性反転駆動手段を設けたスケール障害防止装置付スチームアイロン。」
３．引用文献Ｃについて
　原査定の拒絶の理由において引用された引用文献Ｃには、図面とともに次の事項が記載されている。
３ａ）「The control circuit 70 of the beverage maker 1 serves for controlling the operation of the pump 40, whereby the position of the three-way valve 60 is controlled in an indirect manner as well, as will be explained later. 
　
The control circuit 70 comprises two components 71, 72 for performing measurements during operation of the beverage maker 1, namely a flow sensor 71 which, in the shown example, is arranged in the tube 21 extending between the water reservoir 20 and the pump 40, and a temperature sensor 72 which is arranged at a position between the flow through heater 30 and the inlet 61 of the three-way valve 60. 
　When a user desires to make a quantity of coffee by using the beverage maker 1, the user inserts at least one coffee pad into the brew chamber 50, and activates the beverage maker 1. Naturally, the water reservoir 20 should be filled, at least to a certain extent, so that there is enough water for making the coffee.」（第１０頁第７行〜第２３行）
（当審訳：飲料メーカ１の制御回路７０はポンプ４０の動作を制御する働きをし、三方弁６０の位置はさらに、後述するように、間接的な方法で制御される。
　
制御回路７０は、飲料メーカ１の動作中に測定を実行するための２つの構成要素７１、７２、すなわち、図示された例では、水リザーバ２０とポンプ４０との間に延びるチューブ２１に配置されたフローセンサ７１、及びフロースルーヒータ３０と三方弁６０の入口６１との間に配置された温度センサ７２を有する。
　ユーザが飲料メーカ１を使ってある量のコーヒーを作ることを望む場合、ユーザは少なくとも１つのコーヒーパッドを抽出チャンバ５０に挿入し、飲料メーカ１を起動させる。もちろん、水リザーバ２０は、コーヒーを作るのに十分な水があるように、少なくともある程度まで、満たされるべきである。）
３ｂ）「As soon as the temperature sensor 72 indicates that the temperature of the water has reached the predetermined temperature, the micro controller 73 
activates the pump 40 to realize a water flow at a relatively high rate, for example, 5 ml/s.
（当審訳：温度センサ７２が水の温度が所定値に達したことを示すとすぐに、マイクロコントローラ７３は、
比較的高い流量、例えば５ｍｌ／ｓでの水の流れを実現するようにポンプ４０を作動させる。
３ｃ）「
In the shown example, in both outlets 62, 63 of the valve 60, switching components 64, 65 are arranged
（当審訳：
図示された例では、弁６０の両方の出口６２、６３には、切替構成要素６４、６５が配置され、
３ｄ）「The thresholds of the pressure for switching the switching components 64, 65 do not need to be equal. For example, the switching component 64 associated with the first outlet 62 may be adapted to switch at a lower pressure than the switching component 65 associated with the second outlet 63. In that case, in a situation in which both switching components 64, 65 are in their default state and pressure is built up, the switching component 64 associated with the first outlet 62 switches first. As a result, both switching components 64, 65 are in the closed state for a short while, wherein the switching component 65 associated with the second outlet 63 switches as soon as the threshold for changing the state of this component 65 from the closed state to the opened state is reached. When the pressure is decreased, the switching component 65 associated with the second outlet 63 switches back to the closed position at a certain point, and
 the switching component 64 associated with the first outlet 62 switches back to the opened position soon afterwards. Examples of threshold values which are suitable in the beverage maker 1 as described on the basis of figure 1 are  0.25 bar for the switching component 64 associated with the first outlet 62, and 0.5 bar for the switching component 65 associated with the second outlet 63. 
（当審訳：切替構成要素６４、６５を切り替えるための圧力の閾値が等しくなる必要はない。例えば、第１の出口６２に関連付けられた切替構成要素６４は、第２の出口６３に関連付けられた切替構成要素６５より低い圧力で切り替わるように適合され得る。この場合、両方の切替構成用度６４、６５がそれらの初期状態にあり圧力が高められる状況では、第１の出口６２に関連付けられた切替構成要素６４が最初に切り替わる。結果として、両方の切替構成用度６４、６５は少しの間、閉鎖状態にあり、第２の出口６３に関連付けられた切替構成要素６５は、閉鎖状態から開放状態へのこの構成要素６５の状態を変化させる閾値に達するとすぐに切り替わる。圧力が減少するとき、第２の出口６３に関連付けられた切替構成要素６５は、あるポイントにおいて閉鎖位置に切り替わって戻り、
第１の出口６２に関連付けられた切替構成要素６４は、その後すぐに開放位置に切り替わって戻る。図１に基づいて記載された飲料メーカ１に適した閾値の例は、第１の出口６２に関連付けられた切替構成要素６４に関して０．２５ｂａｒであるとともに、第２の出口６３に関連付けられた切替構成要素６５に関して０．５ｂａｒである
　以上のことから、引用文献Ｃには、次の技術的事項が記載されていると認められる（以下、「引用文献Ｃ記載事項」という。）。
　「ポンプ４０と、フロースルーヒータ３０と、三方弁６０を備えた飲料メーカ１において、比較的高い流量である例えば５ｍｌ／ｓでの水の流れをフロースルーヒータ３０で実現するようにポンプ４０を作動させること、及び、三方弁６０の両方の出口６２、６３には、切替構成要素６４、６５が配置され、第１の出口６２に関連付けられた切替構成要素６４に関して０．２５ｂａｒであるとともに、第２の出口６３に関連付けられた切替構成要素６５に関して０．５ｂａｒである、飲料メーカ１。」
４．引用文献Ｄについて
　原査定の拒絶の理由において引用された引用文献Ｄには、図面とともに次の事項が記載されている。
　「【請求項１】 水の循環系に接続される通水管内に間隔を開けて一対の電極を対向配置し、これら電極間に交流電圧を印加することによって循環水中のスケール成分の析出を抑制する電極式スケール成分の析出抑制装置において、前記一対の電極間の負荷電圧と測定される電流値の積（VA値）を予め設定した範囲で制御する制御装置を設けたことを特徴とする電極式スケール成分の析出抑制装置。」
　以上のことから、引用文献Ｄには、次の技術的事項が記載されていると認められる（以下、「引用文献Ｄ記載事項」という。）。
　「水の循環系に接続される通水管内に間隔を開けて一対の電極を対向配置し、これら電極間に交流電圧を印加することによって循環水中のスケール成分の析出を抑制する電極式スケール成分の析出抑制装置。」
第６　当審拒絶理由についての判断
１．当審拒絶理由１の理由１（進歩性）について
（１）本願発明１について
　ア　対比
　本願発明１と引用発明ｂを対比すると、次のことがいえる。
　引用発明ｂの「加熱素子」、「対向電極」、「加熱装置１」、「液体を加熱する方法」は、各文言の意味、機能又は作用等からみて、それぞれ、本願発明１の「加熱エレメント」、「カウンタ電極」、「ヒータ」、「液体を加熱する方法」に相当する。
　したがって、本願発明１と引用発明ｂとの間には、次の一致点、相違点があるといえる。
（一致点）
　「加熱エレメントとカウンタ電極とを有するヒータにおいて液体を加熱する方法。」
（相違点）
（相違点１）
　本願発明１は、「前記加熱エレメントを摂氏１４０乃至１８０°Ｃの範囲の温度に加熱することにより前記ヒータの中の液体を加熱するステップ」を有するのに対して、引用発明ｂは、加熱素子をどの程度の温度に加熱することにより加熱装置１の中の液体を加熱するのか不明な点。
（相違点２）
　本願発明１は、「前記加熱エレメントと前記カウンタ電極との間に非変調のＡＣ電位差を印加するステップとを有し、前記ＡＣ電位差は２００乃至２０００Ｈｚの範囲内のＡＣ周波数で変化し、１．６乃至３．２Ｖの振幅を有し、前記液体は前記ヒータの中の前記加熱エレメントと前記カウンタ電極との間を流れ」るのに対して、引用発明ｂは、「前記加熱素子と前記対向電極との間に１Ｈｚ及び１０００Ｈｚの２つの重畳されたＡＣ信号（三角形形状）を付与するステップと、１．５Ｖのオフセットを正電極である加熱素子に加えるステップ」を有し、当該ＡＣ信号の振幅の値及び前記液体が前記加熱装置１の中の前記加熱素子と前記対向電極との間を流れるか否かは不明な点。
（相違点３）
　本願発明１は、「前記加熱エレメントと前記カウンタ電極とは、０．５−５ｍｍの範囲の相互距離を有する」のに対して、引用発明ｂは、加熱素子と対向電極との相互距離が不明な点。　
　イ　相違点についての判断
　事案に鑑みて、上記相違点１及び２についてまず検討する。
　相違点１について、引用文献１には、加熱素子をどの程度の温度に加熱することにより加熱装置１の中の液体を加熱するのかについて記載はなされていない。さらに、相違点２に係る本願発明１の「前記加熱エレメントと前記カウンタ電極との間に非変調のＡＣ電位差を印加するステップとを有し、前記ＡＣ電位差は２００乃至２０００Ｈｚの範囲内のＡＣ周波数で変化し、１．６乃至３．２Ｖの振幅を有し、前記液体は前記ヒータの中の前記加熱エレメントと前記カウンタ電極との間を流れ」る方法は、引用文献１及び引用文献２のいずれにも見当たらず、本願優先日前において周知技術ともいえない。
　そして、本願発明１は、上記相違点１及び２に係る本願発明１の構成を備えることにより、「スケール形成及び腐食を防止及び／又は低減することができる。」（本願明細書段落００１６、００７７、００７８）という格別の効果を奏するものである。
　このような結果を踏まえると、引用発明ｂにおいて、加熱素子を摂氏１４０乃至１８０°Ｃの範囲の温度に加熱し、１Ｈｚ及び１０００Ｈｚの２つの重畳されたＡＣ信号（三角形形状）から、より高い周波数である１０００Ｈｚのみを採用し、振幅を１．６乃至３．２Ｖとした非変調ＡＣとし、前記液体を前記加熱装置１の中の前記加熱素子と前記対向電極との間に流すことを、当業者が容易に想到し得たこととすることはできない。
　したがって、他の相違点について判断するまでもなく、本願発明１は、当業者であっても、引用発明ｂ並びに引用文献１記載事項１〜４及び引用文献２記載事項に基いて容易に発明をすることができたものであるとはいえない。
（２）本願発明２〜５、１０について
　本願発明２〜５、１０も、相違点１〜３に係る本願発明１の構成を備えるものであるから、本願発明１と同じ理由により、当業者であっても、引用発明ｂ並びに引用文献１記載事項１〜４及び引用文献２記載事項に基いて容易に発明をすることができたものであるとはいえない。
（３）本願発明６について
　ア　対比
　本願発明６と引用発明ａとを対比すると、次のことがいえる。
　引用発明ａにおける「加熱素子」、「対向電極」、「加熱装置１」、「ヒータ装置」は、各文言の意味、機能又は作用等からみて、それぞれ、本願発明６における「加熱エレメント」、「カウンタ電極」、「ヒータ」、「ヒータ装置」に相当する。
　したがって、本願発明６と引用発明ａとの間には、次の一致点、相違点があるといえる。
（一致点）
　「液体を加熱するように構成され、ヒータ内の液体を加熱する加熱エレメントと、カウンタ電極とを有するヒータを有する、
　ヒータ装置。」
（相違点）
（相違点４）本願発明６は、「前記加熱エレメントを摂氏１４０乃至１８０°Ｃの範囲の温度に加熱する」のに対して、引用発明ａは、加熱素子を加熱する温度が不明な点。
（相違点５）本願発明６は、「前記加熱エレメントと前記カウンタ電極との間に前記液体を流すように構成された流れユニットと、前記加熱エレメントと前記カウンタ電極との間に非変調のＡＣ電位差を印加するように構成された電源とを有し、前記ＡＣ電位差は２００乃至２０００Ｈｚの範囲内のＡＣ周波数で変化し、１．６Ｖ乃至３．２Ｖの振幅を有」するのに対して、引用発明ａは、前記加熱素子と前記対向電極との間に前記液体を流すように構成された流れユニットを有するかは不明であり、前記加熱素子と前記対向電極との間に１Ｈｚ及び１０００Ｈｚの２つの重畳されたＡＣ信号（三角形形状）を付与する電源２００を有し、さらに、１．５Ｖのオフセットが正電極である加熱素子に加えられる点。
（相違点６）本願発明６は、「前記加熱エレメントと前記カウンタ電極とは、０．５−５ｍｍの範囲の相互距離を有する」のに対して、引用発明ａは加熱素子と対向電極との相互距離が不明な点。
　イ　相違点についての判断
　上記相違点４及び５について、まず検討する。
　相違点４について、引用文献１には、加熱素子をどの程度の温度に加熱することにより加熱装置１の中の液体を加熱するのかについて記載はなされていない。さらに、相違点５に係る本願発明６の「前記加熱エレメントと前記カウンタ電極との間に前記液体を流すように構成された流れユニットと、前記加熱エレメントと前記カウンタ電極との間に非変調のＡＣ電位差を印加するように構成された電源とを有し、前記ＡＣ電位差は２００乃至２０００Ｈｚの範囲内のＡＣ周波数で変化し、１．６Ｖ乃至３．２Ｖの振幅を有」する構成は、引用文献１及び引用文献２のいずれにも見当たらず、本願優先日前において周知技術ともいえない。
　そして、本願発明６は、上記相違点４及び５に係る本願発明６の構成を備えることにより、「スケール形成及び腐食を防止及び／又は低減することができる。」（本願明細書段落００１６、００７７、００７８）という格別の効果を奏するものである。
　このような結果を踏まえると、引用発明ａにおいて、加熱素子を摂氏１４０乃至１８０°Ｃの範囲の温度に加熱し、加熱素子と対向電極との間に液体を流すように構成された流れユニットと、加熱素子と対向電極との間に、１Ｈｚ及び１０００Ｈｚの２つの重畳されたＡＣ信号（三角形形状）を付与する電源に代えて、非変調のＡＣ電位差を印加するように構成された電源２００とを有し、前記ＡＣ電位差は２００乃至２０００Ｈｚの範囲内のＡＣ周波数で変化し、１．６Ｖ乃至３．２Ｖの振幅を有するよう構成することを、当業者が容易に想到し得たこととすることはできない。
　したがって、他の相違点について判断するまでもなく、本願発明６は、当業者であっても、引用発明ａ並びに引用文献１記載事項１〜４及び引用文献２記載事項に基いて容易に発明をすることができたものであるとはいえない。
（４）本願発明７〜９について
　本願発明７〜９も、相違点１〜３に係る本願発明６の構成を備えるものであるから、本願発明６と同じ理由により、当業者であっても、引用発明ａ並びに引用文献１記載事項１〜４及び引用文献２記載事項に基いて容易に発明をすることができたものであるとはいえない。
２．当審拒絶理由１の理由２（サポート要件）及び当審拒絶理由２（明確性）について
　平成３０年１１月１９日付けの手続補正により、補正後の請求項１は、「前記加熱エレメントを摂氏１４０乃至１８０°Ｃの範囲の温度に加熱する」という技術的事項、「前記加熱エレメントと前記カウンタ電極との間に非変調のＡＣ電位差を印加する」とともに「前記ＡＣ電位差は２００乃至２０００Ｈｚの範囲内のＡＣ周波数で変化し、１．６乃至３．２Ｖの振幅を有する」という技術的事項、「前記加熱エレメントと前記カウンタ電極とは、０．５−５ｍｍの範囲の相互距離を有する」という技術的事項を有するものとなった。
　また、補正後の請求項２〜１０についても同様の技術的事項を有するものとなった。
　その結果、当審拒絶理由１の理由２及び当審拒絶理由２は解消した。
第７　原査定についての判断
　平成３０年１１月１９日付けの補正により、補正後の請求項１は、「（ｉ）前記加熱エレメントを摂氏１４０乃至１８０°Ｃの範囲の温度に加熱することにより前記ヒータの中の液体を加熱するステップと、
　（ｉｉ）前記加熱エレメントと前記カウンタ電極との間に非変調のＡＣ電位差を印加するステップとを有し、
　前記ＡＣ電位差は２００乃至２０００Ｈｚの範囲内のＡＣ周波数で変化し、１．６乃至３．２Ｖの振幅を有し、前記液体は前記ヒータの中の前記加熱エレメントと前記カウンタ電極との間を流れ」との技術的事項を有するものとなった。
　また、補正後の請求項２〜５についても、補正後の請求項１と同様の技術的事項を有するものとなった。
　同様に、補正後の請求項６は、「前記加熱エレメントと前記カウンタ電極との間に前記液体を流すように構成された流れユニットと、
　前記加熱エレメントと前記カウンタ電極との間に非変調のＡＣ電位差を印加するように構成された電源とを有し、
　前記ＡＣ電位差は２００乃至２０００Ｈｚの範囲内のＡＣ周波数で変化し、１．６Ｖ乃至３．２Ｖの振幅を有し、
　前記加熱エレメントを摂氏１４０乃至１８０°Ｃの範囲の温度に加熱することにより前記ヒータの中の液体を加熱し」との技術的事項を有するものとなった。
　また、補正後の請求項７〜９についても、補正後の請求項６と同様の技術的事項を有するものとなった。
　同様に、補正後の請求項１０は、「前記ＡＣ電位差は２００乃至２０００Ｈｚの範囲内の非変調のＡＣ周波数で変化し、１．６Ｖ乃至３．２Ｖの振幅を有し、
　前記加熱エレメントを摂氏１４０乃至１８０°Ｃの範囲の温度に加熱することにより前記液体を加熱し」との技術的事項を有するものとなった。
　これらの技術的事項は、原査定における引用文献Ａ（引用文献１）、引用文献Ｂ（引用文献２）、引用文献Ｃ及び引用文献Ｄには記載されておらず、本願優先日前における周知技術でもないので、本願発明１〜１０は、当業者であっても、原査定における引用文献Ａ〜Ｄに基いて容易に発明をすることができたものであるとはいえない。
　したがって、原査定を維持することはできない。
第８　むすび
　以上のとおり、原査定の理由によって、本願を拒絶することはできない。
　他に本願を拒絶すべき理由を発見しない。
　よって、結論のとおり審決する。